【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ユーザの頭部に装着可能な装置であって、
装着可能な部分を含む第１のアセンブリと、
アームであって、前記第１のアセンブリに接続された第１の端部と、前記第１の端部とは反対側の前記アームの端部に位置する第２の端部と、を有するアームと、
出力ディスプレイと、
前記アームの前記第２の端部と前記出力ディスプレイとに接続されたコネクタであって、
球面伸長部と、
前記球面伸長部の少なくとも一部を嵌合可能に受けるように寸法決めおよび成形された球面ベアリングと、を含み、
前記球面伸長部および前記球面ベアリングとの一方が前記アームの前記第２の端部に接続され、前記球面伸長部と前記球面ベアリングとの他方が前記出力ディスプレイに接続され、
前記球面伸長部および前記球面ベアリングは、前記出力ディスプレイに接続する少なくとも１つのケーブルが通る枢動接続を提供し、
前記球面ベアリング内での前記球面伸長部の移動によって、前記装置が着用されるときに前記ユーザの視野に対する前記出力ディスプレイの位置決めを可能にする、コネクタと、
前記球面伸長部の少なくとも一部を取り囲むように当該球面伸長部と軸方向に整列した調整可能リングであって、回転すると、前記球面ベアリングに加えられる圧力を調整することにより、前記球面伸長部と前記球面ベアリングとの間の摩擦を増加または減少させる、調整可能リングと、
を備える、装置。
【請求項２】
前記球面伸長部は、しまりばめによって前記球面ベアリング内に受容可能である、請求項１に記載の装置。
【請求項３】
前記球面伸長部は、バーに接続された第１の球面伸長部であり、前記バーは第２の球面伸長部に接続され、前記第２の球面伸長部は第２の球面ベアリング内に収容される、請求項１に記載の装置。
【請求項４】
前記球面伸長部がギャップを含み、それにより、前記球面伸長部が前記球面ベアリング内に挿入されると前記球面伸長部の直径が変化し、その後に前記球面伸長部が前記球面ベアリング内で拡張して前記球面ベアリングと解放可能に弾力的に係合できる、請求項１記載の装置。
【請求項５】
前記球面伸長部は、前記少なくとも１つのケーブルが通過するチャネルを含む、請求項１に記載の装置。
【請求項６】
ユーザの頭部に装着可能な装置であって、
装着可能な部分を含む第１のアセンブリと、
アームであって、前記第１のアセンブリに接続された第１の端部と、前記第１の端部とは反対側の前記アームの端部に位置する第２の端部と、を有するアームと、
出力ディスプレイと、
前記アームの前記第２の端部と前記出力ディスプレイとに接続されたコネクタであって、
球面伸長部と、
前記球面伸長部の一部を嵌合可能に受けるように寸法決めおよび成形された球面ベアリングと、を含み、
前記球面伸長部および前記球面ベアリングとの一方が前記アームの前記第２の端部に接続され、
前記球面伸長部と前記球面ベアリングとの他方が前記出力ディスプレイに接続され、
前記球面伸長部および前記球面ベアリングは、枢動接続を提供する、コネクタと、
前記球面伸長部に外接する圧縮リングと、
前記球面伸長部に外接するねじ付きカラーと、
前記球面伸長部に外接し、前記ねじ付きカラーにねじ込まれるねじ付きリングであって、調整可能に前記圧縮リングに押され、前記球面伸長部と前記球面ベアリングとの間に調整可能な摩擦係合を提供する、ねじ付きリングと、
を備える、装置。
【請求項７】
前記圧縮リングと前記ねじ付きカラーと前記ねじ付きリングとのそれぞれの軸は、前記球面伸長部の軸と整列している、請求項６に記載の装置。
【請求項８】
前記球面伸長部を通過して前記出力ディスプレイに至るケーブルをさらに備え、前記ケーブルは、前記出力ディスプレイに信号および電力のうちの少なくとも１つを提供するように適合されている、請求項６に記載の装置。
【手続補正２】
【補正対象書類名】明細書
【補正対象項目名】００４９
【補正方法】変更
【補正の内容】
【００４９】
本明細書に引用された全ての参考文献は、その全体が参照により明示的に組み込まれる。当業者であれば、本開示が、本明細書において特に示され説明されたものに限定されないことを理解するであろう。さらに、そうでないことが上記で言及されていない限り、添付の図面のすべてが一定の縮尺ではないことに留意されたい。本開示には多くの異なる特徴があり、これらの特徴は一緒にまたは別々に使用することができると考えられる。したがって、本開示は、特徴の任意の特定の組み合わせまたは本開示の特定の用途に限定されるべきではない。さらに、本開示の精神および範囲内の変形および修正が、本開示が関連する当業者には想定され得ることを理解されたい。したがって、本開示の範囲および精神内にある、本明細書に記載の開示から当業者が容易に達成可能なすべての適切な修正は、本開示のさらなる実施形態として含まれるべきである。
本願発明の実施形態は、例えば、以下の如くである。
［実施形態１］
ユーザの頭部に装着可能な装置であって、装着可能な部分を含む第１のアセンブリと、アームであって、第１の端部と、第１の端部とは反対側の前記アームの端部に位置する第２の端部と、を有するアームと、前記第１のアセンブリと前記アームの前記第１の端部との間に接続された第１のコネクタであって、前記アームを、前記ユーザの頭から第１の距離にある使用位置と前記第１の距離よりも大きい第２の距離にある待機位置とに解放可能に保持するように構成されたディテントアセンブリを含む第１のコネクタと、前記アームの第２の端部に接続された第２のコネクタと、前記アームが前記使用位置にあるとき、前記ユーザの視界内に配置できるように前記第２のコネクタに接続された出力ディスプレイと、を備える装置。
［実施形態２］
前記第１のコネクタが前記第１のアセンブリに接続されたヨークを含み、前記ディテントアセンブリが、前記ヨークに枢動可能に接続されかつ前記アームの前記第１の端部に接続されるディテントアームであって、前記ディテントアームと前記ヨークとの一方が２つのディテント要素を有し、前記ディテントアームと前記ヨークとの他方が篏合ディテント要素を有しており、当該篏合ディテント要素は、前記ヨークに対する前記ディテントアームの枢動角度が変化したときに前記２つのディテント要素のいずれかと篏合することができ、それによって前記アームを前記使用位置と前記待機位置とで交互に位置決めする、実施形態１に記載の装置。
［実施形態３］
前記ヨークに枢動可能に接続された取付アームを更に含み、前記取付アームと前記ヨークとの角度が前記取付アームと前記ディテントアームとの間に配置されたスタンドオフ部材によって調整可能であり、前記取付アームが前記ディテントアームと前記第２のコネクタとの間に接続されている、実施形態２に記載の装置。
［実施形態４］
前記取付アームと前記ディテントアームとが共通の軸を中心に枢動可能である、実施形態３に記載の装置。
［実施形態５］
前記使用位置と前記待機位置との間の角度差は、０度と９０度の間である、実施形態２に記載の装置。
［実施形態６］
前記２つのディテント要素が突起または開口のうちの１つである、実施形態２に記載の装置。
［実施形態７］
前記２つのディテント要素は、傾斜カム面の反対側にある、実施形態２に記載の装置。
［実施形態８］
前記ヨークが前記第１のアセンブリに回転可能に接続されている、実施形態２に記載の装置。
［実施形態９］
ユーザの頭部に装着可能な装置であって、装着可能な部分を含む第１のアセンブリと、アームであって、前記第１のアセンブリに接続された第１の端部と、前記第１の端部とは反対側の前記アームの端部に位置する第２の端部と、を有するアームと、出力ディスプレイと、前記アームの前記第２の端部と前記出力ディスプレイとに接続されたコネクタと、を備え、前記コネクタは、球面伸長部と、前記球面伸長部の一部を嵌合可能に受けるように寸法決めおよび成形された球面ベアリングと、第１および第２の取付端部と、を含み、前記球面伸長部および前記球面ベアリングとの一方が前記コネクタに接続され、前記球面伸長部と前記球面ベアリングとの他方が前記出力ディスプレイに接続され、前記第１および第２の取付端部は、前記ベアリング内での前記球面伸長部の移動によって互いに対して位置決め可能であり、前記装置が着用されるときに前記ユーザの視野に対する前記出力ディスプレイの位置決めを可能にする、装置。
［実施形態１０］
前記球面伸長部は、しまりばめによって前記球面ベアリング内に受容可能である、実施形態９に記載の装置。
［実施形態１１］
前記球面伸長部はバーに接続され、前記バーは第２の球面伸長部に接続され、前記第２の球面伸長部は第２の球面ベアリング内に収容される、実施形態９に記載の装置。
［実施形態１２］
前記球面伸長部がギャップを含み、それにより、前記球面伸長部が前記球面ベアリング内に挿入されると前記球面伸長部の直径が変化し、その後に前記球面伸長部が前記球面ベアリング内で拡張して前記球面ベアリングと解放可能に弾力的に係合できる、実施形態９記載の装置。
［実施形態１３］
前記球面ベアリングと螺合可能な調整リングと、前記球面伸長部と接触可能なスラスト面とをさらに含み、前記調整リングは、前記球面伸長部と前記球面ベアリングとの間に形成される摩擦を増減するように回転可能である、実施形態９に記載の装置。
［実施形態１４］
前記球面伸長部は、ケーブルが通過するチャネルを含む、実施形態９に記載の装置。
［実施形態１５］
ユーザの頭部に装着可能な装置であって、装着可能な部分を含む第１のアセンブリと、アームであって、前記第１のアセンブリに接続された第１の端部と、前記第１の端部とは反対側の前記アームの端部に位置する第２の端部と、前記第１の端部と前記第２の端部との間に配置されて前記第１の端部と前記第２の端部との間の距離を変えることができるように構成されたスライド可能な伸長機構と、を有するアームと、前記アームに接続されたディスプレイコネクタと、前記ディスプレイコネクタに接続されて前記ユーザの視界内に配置可能な出力ディスプレイと、を備え、前記スライド可能な伸長機構は、前記ユーザの前記頭部に対する前記出力ディスプレイの位置を変えるためにスライド可能である、装置。
［実施形態１６］
前記スライド可能な伸長機構が、前記第１の端部および前記第２の端部のうちの一方が前記第１の端部および前記第２の端部のうちの他方よりも小さいサイズの部分を含み、それによって前記第１および第２の部分が一緒に伸縮する、実施形態１５に記載の装置。
［実施形態１７］
前記スライド可能な伸長機構と前記ディスプレイコネクタとの間に配置された枢動可能な第２のコネクタをさらに含む、実施形態１５に記載の装置。
［実施形態１８］
前記枢動可能な第２のコネクタがディテントアセンブリを含み、前記装置が、前記ディテントアセンブリと前記ディスプレイコネクタとの間に取り付けられた第２のアームをさらに含み、前記ディテントアセンブリが前記第２のコネクタに対する前記第２のアームの角度関係を変更できるように構成され、それにより、０度から９０度の相対角度差を有する使用位置と待機位置とが画定される、実施形態１５に記載の装置。
［実施形態１９］
前記出力ディスプレイに接続されたバッテリと、前記バッテリと前記出力ディスプレイとに接続されて映像信号を前記出力ディスプレイに送信するように構成されるプロセッサ回路と、を含む実施形態１５に記載の装置。
［実施形態２０］
前記第１のアセンブリは、ストラップ、ヨーク、および帽子のうちの少なくとも１つを使用して前記ユーザの前記頭部に接続可能なベースを含む、実施形態１５に記載の装置。